(57)【要約】【課題】  複数のカメラを制御するカメラ制御システムにおいて、従来のとおりカメラの各々に対して調整する場合、調整内容が同一でも各々に調整しなければならず、手間がかかっていた。【解決手段】  カメラコントローラ５に、所定カメラの調整内容をパスワードに変換するパスワード変換手段と、パスワード変換手段が変換したパスワードに従った調整内容をカメラに出力して該カメラの調整を行うカメラ調整手段とを設けた。これにより、操作者はパスワードを入力するだけで所定カメラの調整と同一内容の調整を他カメラへ行うことができる。【選択図】        図１
2006203401.tif 000002
【特許請求の範囲】
【請求項１】
複数のカメラと、
上記複数のカメラを制御するカメラコントローラと、
上記カメラコントローラにより行ったカメラの調整内容をパスワードに変換するパスワード変換手段と、
上記パスワード変換手段が変換したパスワードに従った調整内容をカメラに出力して調整を行うカメラ調整手段とを備えたことを特徴とするカメラ制御システム。
【請求項２】
カメラ調整手段は指定された複数のカメラに調整内容を出力することを特徴とする請求項第１項に記載のカメラ制御システム。
【請求項３】
カメラ調整手段はシステムに接続する全てのカメラに調整内容を出力することを特徴とする請求項第１項に記載のカメラ制御システム。
【発明の詳細な説明】
【技術分野】
【０００１】
本発明は、複数のカメラを制御するカメラ制御システムに係わり、特にシステムに接続する複数のカメラの調整内容を簡単に同一とすることができるカメラ制御システムに関するものである。
【背景技術】
【０００２】
従来のカメラの調整方法として、複数項目の機能情報を同時に表示する第１の表示モードと、この複数項目の機能情報のうちの一つを選択的に表示する第２の表示モードの何れかを選択する方法により、ごく少数の制御ボタンでも良好な操作性を得られる方法が開示されている（例えば、特許文献１参照）。この調整方法は、複数のカメラを有するカメラ制御システムでも使用可能である。
【特許文献１】特開平５−９１３８７号公報（図１）
【発明の開示】
【発明が解決しようとする課題】
【０００３】
従来のカメラの調整方法は以上のように構成されており、以下のような課題ががあった。
（１）例えば、複数のカメラを制御するカメラ制御システムにおいて、特許文献１の方法でカメラを調整する場合、複数のカメラを各々に調整しなければならず、手間がかかっていた。
（２）これは、複数のカメラに対して同じ調整を行う場合にも、同じ調整内容の入力をカメラ台数分繰り返す必要があり、調整に時間がかかり、また人為的な設定ミスを誘発する問題があった。
【０００４】
この発明は、上記のような課題を解消する為になされたもので、複数のカメラを同一条件に調整する場合に簡単な方法で調整でき、結果として調整時間を短縮できるカメラ制御システムを提供することを目的とする。
【課題を解決するための手段】
【０００５】
この発明に係わるカメラ制御システムは、複数のカメラと、上記複数のカメラを制御するカメラコントローラと、上記カメラコントローラにより行ったカメラの調整内容をパスワードに変換するパスワード変換手段と、上記パスワード変換手段が変換したパスワードに従った調整内容をカメラに出力して調整を行うカメラ調整手段とを備えたものである。
【発明の効果】
【０００６】
この発明によれば、カメラ制御システムは、パスワード変換手段がカメラコントローラにより行ったカメラの調整内容をパスワードに変換し、カメラ調整手段が上記パスワード変換手段が変換したパスワードに従った調整内容をカメラに出力して調整を行うので、所定カメラへの調整内容を他の複数のカメラに反映する場合、調整メニューにパスワードを入力するだけの簡単な方法で行え、調整時間を短縮できる効果がある。
【発明を実施するための最良の形態】
【０００７】
実施の形態１．
以下、この発明の実施形態を図について説明する。図１はこの発明の実施の形態１に示すカメラ制御システムの構成図である。図において、１〜４は被写体を撮像するカメラ、５はカメラ１〜４を制御するカメラコントローラ、６はカメラ１〜４及び後述するカメラの調整メニューを出力するモニタである。また、１００はカメラコントローラ５に設けられ、接続されたカメラ１〜４の何れかを選択して選択したカメラの映像をモニタ６に出力させたり、カメラの調整を行う場合に操作する調整ボタンである。また、図２は図１に示すモニタ６に表示された調整メニューの一例を示す説明図である。
【０００８】
次に動作について説明する。図１に示すカメラ制御システムは、複数のカメラ１〜４がカメラコントローラ５に接続され、カメラコントローラ５によって選択されたカメラの映像がモニタ４に出力されるシステムとなっている。カメラの選択、及びカメラの調整は調整ボタン１００の操作によりカメラコントローラ５が行う。
【０００９】
このカメラ制御システムでカメラ調整を行う場合は、図２に示す調整メニューを用いる。この調整メニューはカメラコントローラ５によって選択されたカメラ映像に重畳して出力される。これにより、例えば調整メニューに表示している「ＡＧＣ（オートゲインコントロール）」機能を調整ボタン１００によりＯＮにすると重畳している映像の「ＡＧＣ」機能がＯＮとなり、ＯＦＦにすると重畳している映像の「ＡＧＣ」機能がＯＦＦとなる。また、「ＡＷＢ（オートホワイトバランス）」機能についてはＯＮ／ＯＦＦ調整、「ＳＨＵＴＴＥＲ（カメラのシャッター速度）」機能についてはカメラのシャッター速度を調整ボタン１００により調整する。
【００１０】
さらに、図２に示す「ＷＯＲＤ」とは、「ＡＧＣ」機能、「ＡＷＢ」機能及び「ＳＨＵＴＴＥＲ」機能の調整内容を合わせてパスワードに変換する機能（以下、「ＷＯＲＤ」機能と称す）をいう。つまり、図２の通り「ＡＧＣ」機能をＯＮ、「ＡＷＢ」機能をＯＮ、「ＳＨＵＴＴＥＲ」機能を１／１００秒に調整した場合、「ＷＯＲＤ」機能では上記３種類の機能の調整内容を合わせて８桁のパスワードに変換し、例えば「１２３４ＡＢＣＤ」と表示する。また、逆に「ＷＯＲＤ」機能の項目に「１２３４ＡＢＣＤ」と入力すれば、「ＡＧＣ」機能がＯＮ、「ＡＷＢ」機能がＯＮ、「ＳＨＵＴＴＥＲ」機能が１／１００秒と調整されるとともに、上記数値が調整メニューに出力される。この「ＷＯＲＤ」機能に用いるパスワード変換手段については一般的に用いられているものを採用しているものとし、特に言及しない。
【００１１】
この後、操作ボタン１００によりパスワードに従った調整内容を選択したカメラに出力することでカメラ調整が終了する。また、所定カメラの調整内容をを他カメラに対して行いたい場合、操作者は所定カメラを調整したときに出力されたパスワードを予め控えておく。次に、操作者は選択した他カメラの調整メニューを出力し、予め控えておいたパスワードを「ＷＯＲＤ」項目に入力する。これにより、調整メニューの「ＡＧＣ」機能、「ＡＷＢ」機能及び「ＳＨＵＴＴＥＲ」機能の調整内容にはパスワードから逆変換された調整内容が出力される。この後は、上記と同様に操作ボタン１００によりパスワードに従った調整内容を他カメラに出力することでカメラ調整が終了する。
【００１２】
これにより、所定カメラへの調整内容を他の複数のカメラに反映する場合、調整メニューにパスワードを入力するだけの簡単な方法で行え、調整時間を短縮できる。尚、この実施の形態では３種類の機能の調整方法を例として説明したが、実際に調整すべき機能は数十種類にも及び、本発明内容は調整時間の短縮という点で顕著な効果を有し、カメラ調整の利便性が格段に向上する。また、他のカメラ制御システムに接続するカメラへ同一の調整を行いたい場合には、当該カメラ制御システムの調整メニューに上記控えておいたパスワードを入力するだけで行える利便性も有する。
【００１３】
実施の形態２．
図３はこの発明の実施の形態２に示す調整メニューの一例を示す説明図である。尚、実施の形態２で使用するカメラ制御システムの構成は図１と同様である。図３の調整メニューでは図２の調整メニューの項目に加えて調整内容を他カメラへ出力する機能（以下、「ＣＯＰＹ」機能と称す）を追加している。
【００１４】
また、図３に示す調整メニューでは、「ＣＯＰＹ」機能に「ＡＬＬ」と表示しているが、「ＡＬＬ」とは他カメラ全てに同一の調整内容を出力するという意味である。また、特定の他カメラに対して同一の調整内容を出力したい場合は特定の他カメラ番号（例えば「１」）を入力する。また、例えば「１、２」のように複数カメラ番号の入力も可能とする。一方、所定カメラのみの調整で「ＣＯＰＹ」機能を使用しない場合は、例えば「０」のように割り当てがされていないカメラ番号を入力する。
【００１５】
次に、「ＣＯＰＹ」機能で例えば「ＡＬＬ」を入力した場合に、他カメラ全てへ調整内容を出力する動作について説明する。例えば、使用者はコントローラ５の制御ボタン１００にてカメラ１を選択する。次に、図３に示す調整メニューを出力させ、「ＡＧＣ」機能〜「ＷＯＲＤ」機能について実施の形態１と同様なカメラ調整を行う。
【００１６】
この後、「ＣＯＰＹ」機能の項目で「ＡＬＬ」と入力し、操作ボタン１００によりカメラへの調整内容出力を指示する。これにより、カメラコントローラ５は最初にパスワードに従った調整内容をカメラ１に出力する。次に、カメラコントローラ５は「ＣＯＰＹ」機能の項目で「ＡＬＬ」が入力されていることを判断し、パスワードに従った調整内容をカメラ２〜４へ出力する。これにより、カメラ制御システムに接続しているカメラ１〜４に対して同一内容の調整が実施できる。
【００１７】
また、上記「ＣＯＰＹ」機能において、「ＡＬＬ」の代わりに「２」と入力されているとカメラ１、及びカメラ２に対して調整内容が出力される。また、「ＡＬＬ」の代わりに「２、３」と入力されているとカメラ１、２及びカメラ３に対して調整内容が出力される。また、「ＡＬＬ」の代わりに「０」と入力されていると選択されているカメラ１のみに調整内容が出力される。
【００１８】
これにより、所定カメラの調整内容で他カメラも調整したい場合、調整したいた他カメラを指定すれば一連の動作で複数カメラの調整も行えるので利便性が向上する。さらに、「ＡＬＬ」により他カメラ全てへの調整を可能としたことで、実施の形態２ではカメラが４台接続しているカメラ制御システムを例に挙げたが、それ以上の台数のカメラが接続されているシステムでも同様の動作を行うことが可能となり、利便性が更に向上する。つまり、接続されているカメラの台数が多ければ多いほど調整時間の短縮を図ることができる。
【産業上の利用可能性】
【００１９】
この発明の活用例として複数のカメラを接続して対象物を監視するカメラ監視システム等に利用できる。
【図面の簡単な説明】
【００２０】
【図１】この発明の実施の形態１に示すカメラ制御システムの構成図である。
【図２】図１に示すモニタに表示された調整メニューの一例を示す説明図である。
【図３】この発明の実施の形態２に示す調整メニューの一例を示す説明図である。
【符号の説明】
【００２１】
１、２、３、４  カメラ
５  カメラコントローラ
６  モニタ
１００  調整ボタン
【図１】
2006203401.tif 000003
【図２】
2006203401.tif 000004
【図３】
2006203401.tif 000005